(57)【要約】【課題】効率よく塗工可能な塗工具を提供する。【解決手段】塗工具１は、把持部２２と先端にヘラ部２４が形成された収容部２３とを有する本体部２と、先端面３１５ａを有する移動部材であって、収容部２３に収容される移動部材３を備える。また、移動部材を移動させることにより、先端面３１５ａを収容部２３内に沿って移動させて、収容部２３を開口させる状態と、収容部２３を閉塞させる状態とを切り換える。【選択図】図６
2020075197.tif 000002
【特許請求の範囲】
【請求項１】
把持部と先端にヘラ部が形成された収容部とを有する本体部と、
先端面を有する移動部材であって、前記収容部に収容される移動部材と、
を備え、
前記移動部材を移動させることにより、前記先端面を前記収容部内に沿って移動させて、前記収容部を開口させる状態と、前記収容部を閉塞させる状態とを切り換える、
ことを特徴とする塗工具。
【請求項２】
前記本体部は、屈曲部を有した側面視Ｌ字状に形成され、
前記屈曲部を介して、後方側に前記把持部が設けられ、前方側に前記収容部が設けられる、
ことを特徴とする請求項１に記載の塗工具。
【請求項３】
前記移動部材は、前記先端面の外周縁を前記収容部の内面に当接又は近接しながら移動することを特徴とする請求項１又は２に記載の塗工具。
【請求項４】
前記収容部は、天板と、該天板の両側縁から延設された一対の側板と、前記側板の間に懸架される支持板とを有することを特徴とする請求項１乃至請求項３の何れかに記載の塗工具。
【請求項５】
前記側板は、前記移動部材の移動方向に対して傾斜する傾斜縁を有することを特徴とする請求項４に記載の塗工具。
【請求項６】
前記移動部材は、先端に係合突起を有した片持ちの板バネ状の解除操作部を有し、
前記本体部は、前記移動部材の移動により前記係合突起が係脱する第一被係合突起を有する、
ことを特徴とする請求項１乃至請求項５の何れかに記載の塗工具。
【請求項７】
前記本体部は、前記第一被係合突起よりも奥側に位置して前記係合突起が係脱する第二被係合突起と、前記移動部材よりも左右幅が広く前後幅が狭い開口孔を有し、
前記移動部材は、前記係合突起が前記第二被係合突起よりも後方に位置するとき、前記移動部材の前端が前記開口孔の前方の内縁よりも前記開口孔の内側に位置する、
ことを特徴とする請求項６に記載の塗工具。
【発明の詳細な説明】
【技術分野】
【０００１】
本発明は、ペースト状の材料を塗工する塗工具に関する。
【背景技術】
【０００２】
従来から、菓子を装飾するレースのような装飾物の作成方法が提案されている。例えば、非特許文献１には、模様が施されたシリコンマットの型に、Ｌ字パレットやカードを使ってペースト状の材料をすりこませて、型から材料をはがして、装飾物を作成する技術が記載されている。
【先行技術文献】
【特許文献】
【０００３】
【非特許文献１】株式会社タイセイ、"お砂糖のレースが作れるシュガーベール"、［online］、ｃｏｔｔａ、［平成３０年１０月９日検索］、インターネット＜ＵＲＬ：https://www.cotta.jp/special/tool/sugarveil.php＞
【発明の概要】
【発明が解決しようとする課題】
【０００４】
しかしながら、上述のＬ字パレットやカードを使用した作成方法では、ペースト状の材料を塗り始めに沢山塗ると余剰な材料の回収に手間がかかり、一方で材料を徐々に型に充填させると装飾物の作成に時間を要することが想定される。
【０００５】
本発明は、効率よく塗工可能な塗工具を提供することを目的とする。
【課題を解決するための手段】
【０００６】
本発明の一つの態様に係る塗工具は、把持部と先端にヘラ部が形成された収容部とを有する本体部と、先端面を有する移動部材であって、前記収容部に収容される移動部材と、を備え、前記移動部材を移動させることにより、前記先端面を前記収容部内に沿って移動させて、前記収容部を開口させる状態と、前記収容部を閉塞させる状態とを切り換える、ことを特徴とする。
【発明の効果】
【０００７】
上記の態様によれば、効率よく塗工可能な塗工具を提供することができる。
【図面の簡単な説明】
【０００８】
【図１】本発明の実施形態に係る塗工具の表側の斜視図である。
【図２】本発明の実施形態に係る塗工具の裏側の斜視図である。
【図３】本発明の実施形態に係る本体部の裏側の斜視図である。
【図４】本発明の実施形態に係る移動部材の表側の斜視図である。
【図５】本発明の実施形態に係る移動部材の裏側の斜視図である。
【図６】本発明の実施形態に係る塗工具の使用状態を示す図１のＶＩ−ＶＩ断面図を示し、（ａ）は移動部材を後方内側へ移動させた状態を示し、（ｂ）は移動部材を前方へ移動させた状態を示す。
【図７】本発明の実施形態に係る型部材を示す図である。
【発明を実施するための形態】
【０００９】
次に、図に基づいて本発明の実施形態を説明する。図１及び図２は、それぞれレースの装飾物の作成に使用可能な塗工具１の表側及び裏側から見た斜視図である。塗工具１は、本体部２と、この本体部２に対して前後に移動可能に収容される移動部材３と、を有する。本実施形態の塗工具１は、移動部材３を本体部２に対して前方へ移動させた状態でペースト状の材料Ｌ１を型７１〜７６に塗工することができ（図６（ａ）及び図７参照）、移動部材３を本体部２に対して後方へ移動させた状態で型７１〜７６から余分な材料Ｌ１を取り除きつつ回収することができる（図６（ｂ）及び図７参照）。本実施形態では菓子を模した玩具用のレースの装飾物を作成可能な塗工具１について説明する。なお、以下の塗工具１の説明では、ヘラ部２４側を前、その反対側を後とし、図１の上側を上、その反対側を下とする。また塗工具１の後方から前方を見た左側を左、その反対側を右とする。
【００１０】
本体部２及び移動部材３はＰＰ（ポリプロピレン）等の難粘着性の材料により形成することができる。本体部２は、上方に屈曲部２１を有した側面視略Ｌ字状に形成される。本体部２は、屈曲部２１を介して、後方側に把持部２２を有し、前方側に移動部材３の収容部２３を有する。把持部２２は、図２に示すように、本体部２の下方へ開口した横断面視略Ｕ字状の湾曲板状に形成される。把持部２２の内面には、半円弧状の支持リブ２２１が形成される。支持リブ２２１は、把持部２２の左側板２２２側の内面から右側板２２３側の内面に亘って接続されており、これにより把持部２２の強度を向上させることができる。
【００１１】
収容部２３は、天板２３１と、天板２３１の両側縁から下方に延設される左右略対称な一対の左側板２３２及び右側板２３３と、を有して、略矩形板状に形成される。収容部２３の後方から前方側を見た左右幅は把持部２２よりも広く形成される。収容部２３はヘラ部２４側から見て下方へ開口した枠状に形成される。
【００１２】
天板２３１は、板厚方向に貫通する略矩形状の開口孔２３４を有する。開口孔２３４には、移動部材３の操作部３２が外方へ向けて挿通され、移動部材３の操作を可能としている。また、移動部材３は開口孔２３４を介して本体部２内から取り出し可能に形成される。開口孔２３４は左側板２３２の基端部から右側板２３３の基端部へ亘って形成される。また、開口孔２３４は、移動部材３よりも左右幅が広く前後幅が狭く形成される。開口孔２３４の後側の内縁２３４ｂの略中央からは、後方へ向かって延設された長矩形状の切欠部２３４ａが形成される。切欠部２３４ａも天板２３１の板厚方向に貫通している。また、開口孔２３４の内縁２３４ｂは、左側板２３２側及び右側板２３３側の両側から切欠部２３４ａ側の内側へ掛けて湾曲しながら傾斜している。
【００１３】
天板２３１の前方側の先端には、ヘラ部２４が形成される。図６（ｂ）の断面図に示すように、ヘラ部２４は、天板２３１の先端縁である端面２３１ａと、この端面２３１ａから天板２３１の外側の板面に突出した断面視略三角形状の突起部２３５とにより形成される。突起部２３５は、左側板２３２側から右側板２３３側へ亘って形成される。突起部２３５は、前方側の傾斜面２３５ａと、後方側の傾斜面２３５ｂとを有する。傾斜面２３５ａと傾斜面２３５ｂは、凸湾曲状に突出した頂部を介して互いが略垂直となるように連設される。また、本実施形態の後方側の傾斜面２３５ｂは、天板２３１の板面に対して略１３０度傾斜している。
【００１４】
左側板２３２及び右側板２３３は、それぞれヘラ部２４側の前端に傾斜縁２３２ａ，２３３ａを有する。傾斜縁２３２ａ，２３３ａは、天板２３１の板面と平行な移動部材３の移動方向に対して傾斜している。また、傾斜縁２３２ａ，２３３ａは、側面視において傾斜面２３５ｂと略平行に傾斜している（図６（ａ）も参照）。
【００１５】
左側板２３２、右側板２３３及び把持部２２の各外周面における下方先端縁には、各板厚よりも薄肉の先端縁２ａが連設される。先端縁２ａは、左側板２３２の傾斜縁２３２ａ側から把持部２２を介して右側板２３３の傾斜縁２３３ａ側に亘って形成される。
【００１６】
図２に戻り、左側板２３２の先端縁２ａの一部と、右側板２３３の先端縁２ａの一部とには、平板状の支持板２３６が懸架するように設けられる。支持板２３６の前端縁２３６ａは、略直線状に形成される。支持板２３６の後端縁２３６ｂは、左右方向の中央側が幅狭となるように湾曲して形成される。移動部材３は、支持板２３６の内面２３６ｃと、天板２３１の内面２３１ｃと間に摺動可能に配置される。
【００１７】
図３において、開口孔２３４よりも後方側における天板２３１の内面２３１ｃには、切欠部２３４ａより左側板２３２側及び右側板２３３側のそれぞれにおいて、複数のリブ４１１〜４１４が形成される。各リブ４１１〜４１４は、略同じ高さとなるように形成される。内面２３１ｃには、前後方向に延設される二本の縦リブ４１１，４１２が略平行に形成される。切欠部２３４ａ側に配置される縦リブ４１１の前端には、下方へ突出する突起部４１１ａが設けられる。突起部４１１ａは、後述する移動部材３の上底板３１４と摺動可能に当接する。縦リブ４１１及び縦リブ４１２の各後端は横リブ４１３と接続される。横リブ４１３は縦リブ４１１の後端から縦リブ４１２に接続された後、左側板２３２側又は右側板２３３側へ直線状に延設される。
【００１８】
横リブ４１４は、縦リブ４１１及び縦リブ４１２の各前端と接続されて、縦リブ４１１の前端から内縁２３４ｂに沿って左側板２３２まで又は右側板２３３までに亘る略左右方向に延設される。横リブ４１４は内縁２３４ｂと連続して形成される。
【００１９】
このように、右側板２３３側の各リブ４１１〜４１４と、左側板２３２側の各リブ４１１〜４１４は、左右対称となるように形成される。
【００２０】
切欠部２３４ａの後方における屈曲部２１の内面からは、平板状の被係合突起４１６，４１７が立設している。ヘラ部２４側から見て手前側の被係合突起４１６（第一被係合突起）及び奥側の被係合突起４１７（第二被係合突起）は、互いに略平行となるように前方斜め方向に傾斜して左右に亘って設けられる。被係合突起４１６，４１７の左右幅は、切欠部２３４ａよりも広く形成される。被係合突起４１６及び被係合突起４１７は、移動部材３の係合突起３１７ａを前後方向に係脱させることができる。
【００２１】
図４及び図５は、それぞれ移動部材３の表側及び裏側の斜視図である。移動部材３は後端側の隅部が平面視凸円弧状に湾曲した前後に長尺の矩形板状に形成される。移動部材３は、左右及び後方の一部を囲う側板３１１，３１２と、前方側において側板３１１，３１２の下縁と接続される平板状の下底板３１３と、後方側において側板３１１，３１２の上縁と接続される平板状の上底板３１４とを有する。
【００２２】
側板３１１，３１２の後方側の下端には傾斜部３１１ａ，３１２ａが形成される。また、操作部３２よりも後方側における、側板３１１，３１２の上縁は、操作部３２よりも前方側の上縁よりも下方へ低くなるように形成される。したがって、側板３１１，３１２の後方側の上下幅は、前方側よりも短く形成される。操作部３２は、左右の側板３１１，３１２の内側に配置され、上方へ立設した中空のリボン型に形成される（図５も参照）。
【００２３】
側板３１１，３１２及び下底板３１３の前端には、下底板３１３に対して傾斜した先端面３１５ａを有する略平坦な前板３１５が形成される。前板３１５は下底板３１３に対して略１３０度傾斜している。また、図５に示すように前板３１５の下端には、下底板３１３よりも下方に突設された突出部３１５ｂが形成される。収容部２３の各内面（天板２３１及び側板２３２，２３３の内面２３１ｃ，２３２ｃ，２３３ｃ）は略平坦に延設される。このため、移動部材３は、先端面３１５ａの外周縁（側縁３１５ｃ及び先端縁３１５ｄ）を収容部２３の各内面に当接又は近接しながら移動できる。収容部２３に沿って移動部材３を前後移動させることにより、先端面３１５ａを収容部２３内に沿って移動させ、先端面３１５ａをヘラ部２４から離間させて収容部２３を開口させた状態（後述の図６（ｂ））と、先端面３１５ａとヘラ部２４とが隣接する収容部２３を閉塞させた状態（後述の図６（ａ））とを切り換えることができる。
【００２４】
図４及び図５で、上底板３１４の左右方向の略中央には、前後に長尺の略矩形状の切欠部３１６が形成される。切欠部３１６内には、切欠部３１６の前方側の内縁３１６ａから後方へ向かって延設された片持ちの略矩形の板バネ状の解除操作部３１７が設けられる。解除操作部３１７は、上底板３１４よりも下方に形成される。
【００２５】
図４に示すように、解除操作部３１７の後端からは係合突起３１７ａが上方へ向けて立設している。係合突起３１７ａは、左右に亘って板状に形成される。解除操作部３１７の上面からは、上底が略ハート型に形成された柱状の押圧部３１７ｂが立設している。使用者は、押圧部３１７ｂを下方へ押圧することにより解除操作部３１７を弾発力に抗して下方へ撓ませることができる。
【００２６】
また、切欠部３１６の内縁からは下方へ向かって突出した枠リブ３１６ｃが形成される。枠リブ３１６ｃは、左右の側板３１１，３１２の後端から連設される。
【００２７】
図７は、型部材７を示す図である。型部材７は長矩形板状に形成される。また、型部材７は、シリコンゴム等の可撓性を有する材料により形成することができる。型部材７の一方側の面には、レースを作成可能な、長尺の型７１，７２と、ハート型の複数の型７３と、蝶の左右の羽根状の複数の型７４と、台形状の型７５と、冠状の型７６とが配置される。各型７１〜７６の近くには対応する型番号７１ａ〜７６ａとしてそれぞれ「１」〜「６」の数字が刻印されている。
【００２８】
各型７１〜７６は、突起７ａ及び溝７ｂにより凹凸が形成されている。突起７ａは、その上面が型部材７の上面と同一面となるように複数突設される。また、型７３,７４,７６は、他の型７１,７２,７５に比べて深底となるように形成される。したがって、これらの型で形成されたレースは、他の型で形成されたレースよりも比較的厚く形成することができる。各型に充填して硬化した材料は、型部材７を端から湾曲させて剥がすことにより取り出すことができる。
【００２９】
次に、塗工具１の使用例について説明する。図１で、使用者は、例えば、把持部２２の左側板２２２側に親指を掛け、右側板２２３（図２参照）側を中指から小指を掛けて握って塗工具１を把持することができる。使用者は、人差指を使って操作部３２を前後に操作して移動部材３を前後動させることができる。図６（ａ）及び図６（ｂ）は、図７の型部材７のＶＩ−ＶＩ断面に示す型７１に生クリームを模したクリーム状の材料Ｌ１を塗工する作業について示している。材料Ｌ１は所定時間の経過により乾燥して硬化する。
【００３０】
まず、移動部材３を本体部２の内側（把持部２２側）へ移動させると、図６（ｂ）に示すように、移動部材３の後方に位置する解除操作部３１７の係合突起３１７ａは、解除操作部３１７が弾発力に抗して撓むため、被係合突起４１６を乗り超え、被係合突起４１６と被係合突起４１７との間に配置される。移動部材３の前後動は、係合突起３１７ａと被係合突起４１６の係合により規制される。使用者は、係合突起３１７ａが被係合突起４１６に係合したときに発生する音と適度なクリック感を得て、移動部材３が後方へ安定支持されたことを認識することができる。
【００３１】
これにより、ヘラ部２４と先端面３１５ａとが離間して収容部２３内を開口させた状態となる。収容部２３の前端側には、移動部材３の先端面３１５ａ、本体部２の天板２３１及び側板２３３（２３２）の各内面２３１ｃ，２３２ｃ，２３３ｃによる材料Ｌ１の貯留部Ｓが形成される。使用者は、図６（ｂ）の二点鎖線で示す材料Ｌ１を、貯留部Ｓに供給することができる。材料Ｌ１は、クリーム状に形成されるため、貯留部Ｓにおける各内面２３１ｃ，２３２ｃ，２３３ｃに容易に付着して保持させることができる。使用者は、貯留部Ｓが上を向いた状態になるよう机等に塗工具１を置き、材料Ｌ１の入った容器の口から貯留部Ｓに材料Ｌ１を供給する。なお、貯留部Ｓに材料Ｌ１を供給できる容量は、１回の塗工作業に用いるに適度な材料Ｌ１の量と同程度とすることが好ましい。
【００３２】
続いて、操作部３２をヘラ部２４側に押すと、解除操作部３１７が弾発力に抗して撓むため、係合突起３１７ａが被係合突起４１６を前方側に乗り越える。これにより移動部材３の前進が許容される。移動部材３は、図６（ａ）に示すように、操作部３２の前壁３２１の一部が開口孔２３４の前方の内縁２３４ｃに当接して前進移動が規制される。移動部材３が前方へ移動した状態では、移動部材３の先端面３１５ａとヘラ部２４の端面２３１ａとが略隣接して、収容部２３を閉塞する状態となる。そのため、材料Ｌ１は、ヘラ部２４よりも前方側へ押し出される。
【００３３】
図６（ａ）に示すように、ヘラ部２４よりも前方へ押し出された材料Ｌ１を型７１に押しつけながら塗工具１を後方へ引くと、材料Ｌ１は型７１の溝７ｂ内に充填される。このとき、先端面３１５ａと、型７１との角度は比較的浅いため、塗工具１は材料Ｌ１を略面圧力により型７１に対して押し付けて、塗りムラを低減して塗工することができる。図６（ａ）では、型７１に供給された材料Ｌ１が突起７ａを覆うように厚塗りした様子を示している。
【００３４】
次に、図６（ｂ）に示すように再び移動部材３を本体部２に対して後方へ移動させると、解除操作部３１７が弾発力に抗して撓むため、係合突起３１７ａは被係合突起４１６を後方側に乗り越えて被係合突起４１６の後方に移動する。したがって、係合突起３１７ａは、被係合突起４１６と被係合突起４１７との間に位置して、移動部材３の前後動は規制される。収容部２３の前端側には、貯留部Ｓが再び形成される。
【００３５】
図６（ｂ）の実線の材料Ｌ１に示すように、塗工具１のヘラ部２４を型７１に当接させながら後方へ移動させると、塗工具１は型７１に塗工された余剰な材料Ｌ１をヘラ部２４により掻き取ることができる。このとき、ヘラ部２４と連続する天板２３１の内面２３１ｃは、型７１の当接面に対して移動部材３の先端面３１５ａよりも大きい角度となる。したがって、ヘラ部２４により、余剰な材料Ｌ１に対し側方からせん断力を加えて、余剰な材料Ｌ１を掻き取り、貯留部Ｓ内に順次回収することができる。また、塗工具１は全体が略Ｌ字状に形成されているため、使用者が把持部２２の後端と型７１が接触しないように操作することにより、ヘラ部２４と型７１との当接角度を適切な角度に保つことができる。貯留部Ｓに回収された材料Ｌ１は、図６（ａ）のように移動部材３を再び前進させて他の型への塗工に再利用することができる。
【００３６】
溝７ｂに充填された材料Ｌ１は、突起７ａの表面から除去された後も平面的に連設されている。所定時間が経過して硬化した材料Ｌ１は、型部材７を撓ませることにより、型７１から取り出すことができる。これにより、突起７ａの位置に対応する複数の孔を有したレースの装飾物を作成することができる。
【００３７】
次に、移動部材３の本体部２からの取り出し方法について説明する。図６（ｂ）において、移動部材３の係合突起３１７ａは、被係合突起４１６と被係合突起４１７との間に位置している。被係合突起４１７は、被係合突起４１６よりも下方へ突出しているため、移動部材３を後方へ押しても係合突起３１７ａが被係合突起４１７を乗り超えるのは難しい。しかし、押圧部３１７ｂを押し下げながら移動部材３を後方側へ移動させると、係合突起３１７ａは被係合突起４１７を乗り超えて被係合突起４１７の後方側へ移動させることができる。
【００３８】
すると、移動部材３は図６（ｂ）の状態よりも更に後方へ移動して、前板３１５の先端縁３１５ｄを開口孔２３４の前側の内縁２３４ｃよりも後方へ（換言すれば開口孔２３４の内側へ）位置させることができる。開口孔２３４は移動部材３よりも広い左右幅となるように形成されている。そのため、移動部材３を本体部２の内側から外側へ向けて押圧すると、開口孔２３４を介して移動部材３を容易に取り出すことができる。このように、使用者が適切な操作をすることにより、移動部材３は本体部２から容易に分離させることができる。
【００３９】
以上のような本発明の実施形態によれば、下記の態様の塗工具を提供することができる。
【００４０】
第１の態様に係る塗工具は、把持部と先端にヘラ部が形成された収容部とを有する本体部と、先端面を有する移動部材であって、前記収容部に収容される移動部材と、を備え、前記移動部材は、前記先端面を前記収容部内に沿って移動させて前記収容部を開口させる状態と、前記収容部を閉塞させる状態とを切り換える、ことを特徴とする。
【００４１】
この構成によれば、型部材７に塗工する材料Ｌ１を保持したり、型７１〜７６に塗工する作業及びその作業の切り換えを容易に行うことができる。また、収容部２３を閉塞させた状態では型７１〜７６に対し材料Ｌ１を略面圧力により押し付け、収容部２３を開口させた状態では型７１〜７６に対しヘラ部２４を立てて当接させて余剰な材料Ｌ１を容易に取り除くことができる。このように、材料Ｌ１を塗って余剰分をすぐに型７１〜７６から取り除くことができるため、材料Ｌ１が乾燥する前に型７１〜７６への塗工を終えることができる。したがって、使用者が不慣れな場合であっても、効率よく塗工作業を行う塗工具を提供することができる。さらに、材料Ｌ１を保持できる貯留部Ｓの容量を１回の塗工作業に用いるに適度な材料Ｌ１の量とすることができる。したがって、無駄な材料の使用を予め防ぐことができる。
【００４２】
第２の態様に係る塗工具は、前記本体部は、屈曲部を有した側面視Ｌ字状に形成され、前記屈曲部２１を介して、後方側に前記把持部が設けられ、前方側に前記収納部が設けられる。
【００４３】
この構成によれば、使用者が把持部２２の後端と型７１が接触しないように操作することにより、ヘラ部２４と型７１との当接角度を適切な角度に保つことができる。したがって、使用者が子供であっても、容易に適切な角度に保ちながら塗工作業を行うことができる。
【００４４】
第３の態様に係る塗工具は、前記移動部材は、前記先端面の外周縁を前記収容部の内面に当接又は近接しながら移動することを特徴とする。
【００４５】
この構成によれば、収容部２３内に充填させた材料Ｌ１を、移動部材３を移動させてヘラ部２４側に押し出す際に収容部２３から漏洩することを低減することができる。
【００４６】
第４の態様に係る塗工具は、前記収容部は、天板と、該天板の両側縁から延設された一対の側板と、前記側板の間に懸架される支持板とを有することを特徴とする。
【００４７】
この構成によれば、移動部材３の前後への移動を確実にガイドするとともに、型７１に供給した過剰な材料Ｌ１を、漏れを低減しながら収容部２３内に回収することができる。
【００４８】
第５の態様に係る塗工具は、前記側板は、前記移動部材の移動方向に対して傾斜する傾斜縁を有することを特徴とする。
【００４９】
この構成によれば、塗工具１を使用する際に、型部材７に対してヘラ部２４を傾斜して当接させることができる。
【００５０】
第６の態様に係る塗工具は、前記移動部材は、先端に係合突起を有した片持ちの板バネ状の解除操作部を有し、前記本体部は、前記移動部材の移動により前記係合突起が係脱する第一被係合突起を有する、ことを特徴とする。
【００５１】
この構成によれば、収容部２３内に空間を形成した状態を安定維持させることができる。
【００５２】
第７の態様に係る塗工具は、前記本体部は、前記第一被係合突起よりも奥側に位置して前記係合突起が係脱する第二被係合突起と、前記移動部材よりも左右幅が広く前後幅が狭い開口孔を有し、前記移動部材は、前記係合突起が前記第二被係合突起よりも後方に位置するとき、前記移動部材の前端が前記開口孔の前方の内縁よりも前記開口孔の内側に位置する、ことを特徴とする。
【００５３】
この構成によれば、移動部材３が本体部２から意図せず分離することを防止しつつ、押圧部３１７ｂ等により解除操作部３１７を撓ませて移動部材３を移動させる操作を行うことができ、移動部材３を本体部２から容易に分離させることができる。したがって、塗工具１の清掃等を容易に行うことができる。
【００５４】
以上、本発明の実施形態について説明したが、本発明は上記実施形態に限定されるものではなく、その要旨を逸脱しない限りにおいて、種々の変更が可能である。例えば、塗工具１は、洋菓子等の食品を装飾するレースの装飾物の作成に使用してもよい。この場合、装飾物の原料として、小麦粉や砂糖等を水に溶融させた材料を使用することができる。
【符号の説明】
【００５５】
１        塗工具                      ２        本体部
２ａ      先端縁                      ３        移動部材
７        型部材                      ７ａ      突起
７ｂ      溝                          ２１      屈曲部
２２      把持部                      ２３      収容部
２４      ヘラ部                      ３２      操作部
７１〜７６  型
２２１    支持リブ                    ２２２    左側板
２２３    右側板                      ２３１    天板
２３１ａ  端面                        ２３１ｃ  内面
２３２    左側板                      ２３２ａ  傾斜縁
２３２ｃ  内面                        ２３３    右側板
２３３ａ  傾斜縁                      ２３３ｃ  内面
２３４    開口孔                      ２３４ａ  切欠部
２３４ｂ  内縁                        ２３４ｃ  内縁
２３５    突起部                      ２３５ａ  傾斜面
２３５ｂ  傾斜面                      ２３６    支持板
２３６ａ  前端縁                      ２３６ｂ  後端縁
２３６ｃ  内面                        ３１１    側板
３１１ａ  傾斜部                      ３１２    側板
３１２ａ  傾斜部                      ３１３    下底板
３１４    上底板                      ３１５    前板
３１５ａ  先端面                      ３１５ｂ  突出部
３１５ｃ  側縁                        ３１５ｄ  先端縁
３１６    切欠部                      ３１６ａ  内縁
３１６ｃ  枠リブ                      ３１７    解除操作部
３１７ａ  係合突起                    ３１７ｂ  押圧部
３２１    前壁                        ４１１    縦リブ
４１１ａ  突起部                      ４１２    縦リブ
４１３    横リブ                      ４１４    横リブ
４１６    被係合突起                  ４１７    被係合突起
Ｌ１      材料                        Ｓ        貯留部
【図１】
2020075197.tif 000003
【図２】
2020075197.tif 000004
【図３】
2020075197.tif 000005
【図４】
2020075197.tif 000006
【図５】
2020075197.tif 000007
【図６】
2020075197.tif 000008
【図７】
2020075197.tif 000009